(57)【要約】      （修正有）【課題】聴覚障害者との対話をスムーズに行うことができる対話補助具を提供する。【解決手段】対話補助具１は、健常者であるホストＨに装着される装着具２と、画面３１とホストＨの音声を認識して画面に文字データとして表示する音声入力プログラム３３とを有するスマートフォン３０を、聴覚障害者であるゲストに向けた姿勢で装着具に取り付ける取付具４と、を有する。ゲストは、画面３１に表示された文字データを確認することによりホストの話す内容を理解することができる。【選択図】図２
0003228504.tif 000002
【実用新案登録請求の範囲】
【請求項１】
ホストに装着される装着具と、
画像表示部と、前記ホストの音声を認識して前記画像表示部に文字データとして表示する音声入力プログラムと、を有する画像表示端末を、聴覚障害者であるゲストに向けた姿勢で前記装着具に取り付ける取付具と、を有することを特徴とする対話補助具。
【請求項２】
前記画像表示部に表示された前記文字データによって、前記ゲストに前記ホストの話しを理解させる請求項１に記載の対話補助具。
【請求項３】
前記装着具は、前記ホストの頭部に装着される請求項１または２に記載の対話補助具。
【請求項４】
前記ホストに装着される鏡を有し、
前記鏡を介して前記画像表示部に表示された前記文字データを前記ホストに確認させる請求項１から３のいずれか１項に記載の対話補助具。
【考案の詳細な説明】
【技術分野】
【０００１】
本考案は、対話補助具、特に、難聴者、中途失聴者および高齢者に代表される聴覚障害者との円滑な対話を実現するための対話補助具に関する。
【背景技術】
【０００２】
例えば、特許文献１には、広告や告知等の情報発信を行うための情報発信端末であるスマートフォンを取り付けた帽子が記載されている。
【先行技術文献】
【特許文献】
【０００３】
【特許文献１】実用新案登録第３２２２８３４号公報
【考案の概要】
【考案が解決しようとする課題】
【０００４】
しかしながら、特許文献１に記載の帽子では、周囲の人へ一方的に情報を発信するだけであり、装着者であるホストと周囲にいるゲストとの相互通行のコミュニケーションを図ることが困難である。
【０００５】
本考案の目的は、相互通行のコミュニケーション、特に、難聴者、中途失聴者および高齢者に代表される聴覚障害者に音声を通じて内容を正確に伝え、当該聴覚障害者との円滑な対話を実現可能な対話補助具を提供することにある。
【課題を解決するための手段】
【０００６】
前記目的は、以下（１）〜（４）の本考案により達成される。
【０００７】
（１）  ホストに装着される装着具と、
画像表示部と、前記ホストの音声を認識して前記画像表示部に文字データとして表示する音声入力プログラムと、を有する画像表示端末を、聴覚障害者であるゲストに向けた姿勢で前記装着具に取り付ける取付具と、を有することを特徴とする対話補助具。
【０００８】
（２）  前記画像表示部に表示された前記文字データによって、前記ゲストに前記ホストの話しを理解させる上記（１）に記載の対話補助具。
【０００９】
（３）  前記装着具は、前記ホストの頭部に装着される上記（１）または（２）に記載の対話補助具。
【００１０】
（４）  前記ホストに装着される鏡を有し、
前記鏡を介して前記画像表示部に表示された前記文字データを前記ホストに確認させる上記（１）から（３）のいずれかに記載の対話補助具。
【考案の効果】
【００１１】
本考案によれば、ホストの声がゲストの方に向けて取り付けられた画像表示端末の画像表示部に文字データとして表示されるため、ゲストは、画像表示部に表示された文字データを確認することによりホストの話しを理解することができる。そのため、ホストとゲストとの円滑な対話が可能となる。
【図面の簡単な説明】
【００１２】
【図１】本考案の対話補助具を用いてホストとゲストとが対話をしている様子を示す模式図である。
【図２】図１の対話補助具を示す斜視図である。
【図３】図２の対話補助具の変形例を示す斜視図である。
【図４】図２の対話補助具の変形例を示す斜視図である。
【考案を実施するための形態】
【００１３】
以下、本考案の対話補助具を添付図面に示す好適な実施形態に基づいて詳細に説明する。
【００１４】
図１に示す対話補助具１は、健常者に代表される正常な発声機能を有する者であるホストＨと、難聴、中途失聴者および高齢者に代表される聴覚障害者であるゲストＧとの対話を補助し、ホストＨとゲストＧとの円滑な対話、コミュニケーションを実現するための補助具である。
【００１５】
図２に示すように、対話補助具１は、ホストＨに装着される装着具２と、画像表示端末３を装着具２に取り付けるための取付具４と、ホストＨに装着される鏡５と、を有する。
【００１６】
画像表示端末３は、例えば、スマートフォン３０であり、画像表示部である画面３１と、マイクロフォン３２と、を有する。また、スマートフォン３０には、音声入力プログラム３３がインストールされている。音声入力プログラム３３は、マイクロフォン３２に入力されたホストＨの声を認識して文字データに変換し、変換した文字データを画面３１に表示する機能を有する。音声入力プログラム３３としては、特に限定されないが、例えば、Shamrock Records（シャムロック・レコード）株式会社が提供する「ＵＤトーク（登録商標）」が挙げられる。
【００１７】
なお、画像表示端末３としては、上述した機能を発揮することができれば、スマートフォン３０に限定されず、例えば、スマートフォン以外の携帯電話、スマートフォンよりもサイズが大きいタブレット端末等であってもよい。ただし、携帯性、画面３１の大きさおよび重量等の観点からスマートフォンを用いることが最も好ましい。また、例えば、マイクロフォン３２が内蔵され、音声入力プログラム３３がインストールされた本体と、画面３１を有するモニターと、が別体となっていてもよい。この場合は、モニターを装着具２に取り付ければよい。
【００１８】
また、スマートフォン３０に内蔵されたマイクロフォン３２を用いず、図３に示すように、外付けのマイクロフォン７をスマートフォン３０に接続して用いてもよい。これにより、高性能なマイクロフォンを用いることができ、音声入力プログラム３３の音声入力精度が高まる。また、マイクロフォンの位置自由度が増し、例えば、ホストＨの口に近接して配置することもできる。なお、図３では、マイクロフォン７は、衣服８の襟にクリップやピンを用いて保持されていているが、これに限定されず、例えば、ホストＨの頭部に装着された装着具２とは別のヘッドセットに保持されていてもよいし、装着具２に保持されていてもよいし、ホストＨが自ら把持してもよい。
【００１９】
図２に示すように、装着具２は、ホストＨに装着され、取付具４を介してスマートフォン３０を保持する。装着具２の構成は、このような機能を発揮することができれば、特に限定されない。
【００２０】
本実施形態の装着具２は、ホストＨの頭部に装着される。装着具２をホストＨの頭部に装着することにより、スマートフォン３０をホストＨの頭部の近傍で保持することができる。そのため、マイクロフォン３２でホストＨの声を拾い易くなり、音声入力プログラム３３の音声入力精度が高まる。また、ゲストＧは、画面３１に表示された文字データを確認すると共に、ホストＨの表情を観察することができる。そのため、ホストＨの話しのニュアンスをより正確に理解することができる。例えば、文字データだけではまじめな話なのが冗談なのか判断し難い場面があるが、ホストＨの表情を同時に観察することができれば、この判断が容易につく。
【００２１】
装着具２としては、特に限定されず、例えば、全周にツバがある各種ハット、前方にツバがあるまたはツバのない各種キャップ等の帽子、サンバイザー（バイザー付きヘッドバンド）、ヘルメット、ヘッドギア、ヘッドバンド、ヘアバンド、はちまき、眼鏡（視力矯正を伴わない所謂「伊達眼鏡」を含む）、サングラス等、頭部に装着できるものであれば如何なるものであってもよい。なお、図示の構成では、装着具２は、サンバイザー２０であり、頭部に巻かれるヘッドバンド２１と、ヘッドバンド２１から突出したバイザー２２と、を有する。
【００２２】
このように、本実施形態の装着具２は、ホストＨの頭部に装着されるが、装着具２の構成は、これに限定されず、例えば、首、肩、腕、胴、脚等に装着される構成であってもよい。
【００２３】
取付具４は、スマートフォン３０を装着具２に取り付けるための器具である。取付具４は、サンバイザー２０のヘッドバンド２１を挟み込むクリップ４１と、クリップ４１から延びる支持棒４２と、支持棒４２に設けられ、スマートフォン３０を吸着して保持する吸盤４３と、を有する。このような構成では、クリップ４１でヘッドバンド２１を挟み込むことにより取付具４がサンバイザー２０に固定され、吸盤４３にスマートフォン３０を吸着させることによりスマートフォン３０が取付具４に固定される。これにより、スマートフォン３０は、取付具４を介してサンバイザー２０に保持される。
【００２４】
ただし、取付具４の構成としては、スマートフォン３０をサンバイザー２０に取り付けることができれば、特に限定されない。例えば、吸盤４３に替えて、クリップでスマートフォン３０を挟み込んで保持する構成としてもよいし、面ファスナーを用いてスマートフォン３０を保持する構成としてもよい。また、本実施形態では、取付具４と装着具２とが別体で構成されているが、これに限定されず、取付具４と装着具２とが一体で構成されていてもよい。
【００２５】
ここで、スマートフォン３０は、取付具４を介してサンバイザー２０に保持された状態では、ホストＨの頭部の側方に位置する。これにより、ホストＨとゲストＧとが互いの顔を合わせるのにスマートフォン３０が邪魔にならない。したがって、ホストＨとゲストＧとの対話がよりスムーズで自然なものとなる。また、スマートフォン３０が取付具４を介してサンバイザー２０に保持された状態では、スマートフォン３０の画面３１は、ホストＨの正面側すなわちゲストＧ側を向く。これにより、ホストＨから画面３１に表示される文字データを確認し易くなる。
【００２６】
ただし、スマートフォン３０の位置は、特に限定されず、例えば、ホストＨの顔の正面に配置されていてもよい。また、ホストＨとゲストＧの体のポジション、利き目等の関係で、ホストＨの顔の左側に配置するか右側に配置するかを選択してもよい。顔の左右どちら側に配置するかは、ゲストＧの良聴耳が左右どちらの耳であるかに応じて決定することができる。また、スマートフォン３０の姿勢は、縦向きに限定されず、横向きであってもよい。
【００２７】
鏡５は、ホストＨが、自身の声が正確に文字データに変換されて画面３１に表示されているかを確認するのに用いられる。前述したように、スマートフォン３０は、ホストＨの頭部の側方に保持される。そのため、画面３１がホストＨの視野に入らず、ホストＨ自身が画面３１に表示される文字データを確認することは困難である。そこで、鏡５に画面３１を映すことにより、ホストＨが、自身の声が正確に文字データに変換されて画面３１に表示されているかを確認できるようにしている。
【００２８】
鏡５は、鏡本体５１と、鏡本体５１を保持するホルダー５２と、を有する。ホルダー５２は、ホストＨの首に引っ掛ける構成となっている。ホルダー５２をホストＨの首に引っ掛けると、ホルダー５２に保持された鏡本体５１がホストＨの頭部正面に位置する。鏡本体５１は、ホルダー５２に対して姿勢が可変となっており、ホストＨは、鏡本体５１を見たときに、鏡本体５１に画面３１が映るように鏡本体５１の姿勢を調整する。これにより、ホストＨは、鏡５を利用して、自身の声が正確に文字データに変換されて画面３１に表示されているかをリアルタイムで確認することができる。そのため、ゲストＧとの対話をよりスムーズに行うことができる。
【００２９】
なお、画面３１に表示される文章が誤変換である場合、ホストＨは、指をクロスさせてバツ印を作る、手を横に振る等のジェスチャー、あるいは、その他の手段によってゲストＧに対して誤変換が生じていることを知らせたうえで、もう一度初めから話し始めればよい。
【００３０】
ただし、鏡５の構成としては、ホストＨが画面３１をリアルタイムで確認することができれば、特に限定されない。例えば、鏡本体５１が１枚だと、ホストＨは、反転した画面３１を確認しなければならない。そのため、鏡本体５１を２枚設け、これら２枚の鏡本体５１を介して反転のない画面３１を確認できる構成としてもよい。また、例えば、ホルダー５２は、ホストＨの首にかける構成ではなく、装着具２に固定する構成となっていてもよいし、頭、腕、胴、脚等に装着される構成であってもよい。また、例えば、音声入力プログラム３３の音声入力精度が高い場合、ホストＨの音声入力スキルが高い場合等、ホストＨが画面３１を確認する必要がない場合には、鏡５を省略してもよい。
【００３１】
また、鏡５に変えて、画面３１を撮像するカメラと、当該カメラの撮像データを表示するディスプレイとを備えるモニターを用いてもよい。このようなモニターとしては、特に限定されないが、例えば、スマートフォンを用いることができる。また、上述したスマートフォン３０を２台準備し、１台をゲストＧに見せるために用い、もう１台をホストＨが入力結果を確認するために用いてもよい。
【００３２】
以上、対話補助具１の構成について詳細に説明した。次に、対話補助具１を用いたホストＨとゲストＧとの対話方法について説明する。まず、ホストＨは、対話補助具１およびスマートフォン３０を上述したように自身に装着し、音声入力プログラム３３を起動させる。これにより、対話の準備が整う。
【００３３】
この状態で、ホストＨがゲストＧに話しかけると、マイクロフォン３２がホストＨの声を拾い、マイクロフォン３２が拾ったホストＨの声を音声入力プログラム３３が認識して文字データに変換し、変換した文字データを画面３１に表示する。そのため、ゲストＧは、画面３１に表示された文字データを確認することにより、リアルタイムでホストＨの話しを理解することができる。特に、前述したように、ゲストＧは、ホストＨの表情を見ながら画面３１を確認することができるため、話しのニュアンスを正確に理解することができる。このようにしてホストＨの話しを理解したゲストＧは、口頭、筆談、手話等の各種手段によってホストＨに話し返せばよい。
【００３４】
この繰り返しにより、ホストＨとゲストＧとの会話がスムーズかつ自然に行われる。このような方法によれば、前述したようにスマートフォン３０を頭部に取り付けているため、ホストＨは、スマートフォン３０を手に把持する必要がない。そのため、ホストＨは、会話の際に両手を自由に使え、ジェスチャー、各種作業、指差し等の会話の補助動作を容易に行うことができる。
【００３５】
以上、本考案の対話補助具を図示の実施形態に基づいて説明したが、本考案は、これに限定されるものではなく、各部の構成は、同様の機能を有する任意の構成のものに置換することができる。また、本考案に、他の任意の構成物が付加されていてもよい。
【００３６】
例えば、図４の構成では、装着具２としてヘアバンド２３を用い、スマートフォン３０を横向きにして頭部正面、額のあたりに取り付けている。また、鏡５およびマイクロフォン７をそれぞれヘアバンド２３に取り付けている。このように、スマートフォン３０を額のあたりに取り付けることにより、ゲストＧが画面３１を確認し易くなる。また、スマートフォン３０を横向きにすることにより、縦向きの場合と比べて画面３１に横一列に表示される文字数が多くなるため、ゲストＧは、文字データを読み易くなる。
【符号の説明】
【００３７】
１            対話補助具
２            装着具
２０          サンバイザー
２１          ヘッドバンド
２２          バイザー
２３          ヘアバンド
３            画像表示端末
３０          スマートフォン
３１          画面
３２          マイクロフォン
３３          音声入力プログラム
４            取付具
４１          クリップ
４２          支持棒
４３          吸盤
５            鏡
５１          鏡本体
５２          ホルダー
７            マイクロフォン
８            衣服
Ｇ            ゲスト
Ｈ            ホスト
【図１】
0003228504.tif 000003
【図２】
0003228504.tif 000004
【図３】
0003228504.tif 000005
【図４】
0003228504.tif 000006